(57)【要約】【課題】対物レンズのトラッキング方向の駆動に伴う信号再生・記録特性の悪化を軽減することができる光ピックアップ装置を提供する。【解決手段】ホルダ３０は、予め定めるスライド方向Ｓに、変位自在に支持部材３６を保持する。このようにホルダ３０が支持部材３６を保持した状態で、ばね部材４６は、支持部材３６をホルダ３０に対して、第３壁部４３ｃから第４壁部４３ｄに向かう方向にばね付勢する。ねじ部材４８は、回転操作されることによって、第４壁部４３ｄに対して螺進および螺退し、これによって支持部材３６をばね部材４６によるばね力に抗して変位させることができる。したがってねじ部材４８の回転操作によって、支持部材３６のホルダ３０に対する前記予め定めるスライド方向Ｓの位置を容易に調整することができる。【選択図】      図３
2004241034.tif 000002
【特許請求の範囲】
【請求項１】
予め定める第１光軸を有する対物レンズと、
前記対物レンズの周縁部を支持する支持部材と、
前記予め定める第１光軸に平行な予め定める第２光軸を有する開口が形成される開口部を有し、前記対物レンズが開口に臨んだ状態で、前記予め定める第２光軸に垂直な予め定めるスライド方向に、変位自在に前記支持部材を保持するホルダと、
前記支持部材のホルダに対する前記予め定めるスライド方向の位置を調整する位置調整手段とを含むことを特徴とする光ピックアップ装置。
【請求項２】
予め定める第１光軸を有する対物レンズと、
前記対物レンズの周縁部を支持する支持部材と、
前記予め定める第１光軸に平行な予め定める第２光軸を有する開口が形成される開口部を有し、前記開口よりも前記予め定める第２光軸の半径方向の外方に配置され、かつ前記予め定める第２光軸に平行な予め定める角変位軸線まわりに、角変位自在に前記支持部材を保持するホルダと、
前記支持部材のホルダに対する前記予め定める角変位軸線まわりの位置を調整する位置調整手段とを含むことを特徴とする光ピックアップ装置。
【請求項３】
前記支持部材を、前記ホルダに対して固定する接着剤を含むことを特徴とする請求項１または２記載の光ピックアップ装置。
【請求項４】
前記位置調整手段は、
前記ホルダと支持部材との間に介在され、支持部材をホルダに対して前記予め定める第２光軸に垂直な方向にばね付勢するばね付勢手段と、
前記支持部材をばね付勢手段によるばね力に抗して変位させるねじ手段とを含むことを特徴とする請求項１または２記載の光ピックアップ装置。
【請求項５】
前記支持部材には、前記予め定める第１光軸に平行で、かつ支持部材の変位方向に垂直な方向に延び、位置調整用ピンが挿入される長孔が形成されることを特徴とする請求項１または２記載の光ピックアップ装置。
【請求項６】
予め定める第１光軸を有し、球面部が形成される対物レンズと、
前記予め定める第１光軸に平行な予め定める第２光軸を有する開口が形成される開口部を有し、前記対物レンズの球面部の少なくとも一部が開口部の開口周縁部に当接した状態で、対物レンズを保持するホルダとを含むことを特徴とする光ピックアップ装置。
【請求項７】
前記ホルダの開口部は、対物レンズよりも硬度の小さい材料から成ることを特徴とする請求項６記載の光ピックアップ装置。
【発明の詳細な説明】
【０００１】
【発明の属する技術分野】
本発明は、光ディスク装置などに搭載される光ピックアップ装置に関する。
【０００２】
【従来の技術】
図２０は、第１の先行技術の光ピックアップ装置１の全体の構成を簡略化して示す図である。第１および第２光源２ａ，２ｂは、相互に波長の異なる光ビームを発生する。ビームスプリッタ３は、第１および第２光源２ａ，２ｂからの光ビームをコリメートレンズ４に導く。コリメートレンズ４は、ビームスプリッタ３からの光ビームを平行光にして、対物レンズ５に導く。対物レンズ５は、コリメートレンズ４からの光ビームを集光し、光ディスク６の記録面に、集光スポットを形成する。以下、コリメートレンズ４から対物レンズ５に導かれる光ビームを、コリメート光と表記することがある。
【０００３】
図２１は、ホルダ７の開口８の光軸８ａとコリメート光の光強度中心との位置関係を説明するための図であり、図２１（１）は第１光源２ａからの光ビームが対物レンズ５に導かれている状態を示し、図２１（２）はコリメート光の光強度分布を示す。図２１においては、第２光源２ｂおよびビームスプリッタ３は省略している。ホルダ７には、開口８が形成される。前記対物レンズ５は、前記開口８に臨んだ状態で、ホルダ７に対して接着剤によって固定される。
【０００４】
対物レンズ５は、フォーカシング方向Ｆおよびトラッキング方向Ｔに駆動される。前記ホルダ７は、対物レンズ５がトラッキング方向Ｔに駆動されていないときに開口８の光軸８ａとコリメート光の光強度中心とが一致するように、設けられる（たとえば、特許文献１〜３参照）。
【０００５】
図２２は、第２の先行技術の光ピックアップ装置の対物レンズ１１およびホルダ１２を簡略化して示す断面図である。対物レンズ１１は、球面部１３と、この球面部１３の周縁部に連なる平面部１４とを有する。ホルダ１２は、開口１５が形成される開口部１６を有する。このホルダ１２は、前記対物レンズ１１の平面部１４の一部が開口部１６の開口周縁部１６ａに当接した状態で、対物レンズ１１を保持する。ホルダ１２が対物レンズ１１を保持した状態では、開口部１６と対物レンズ１１の球面部１３とは当接しない。
【０００６】
【特許文献１】
特開平４−３２８３３８号公報
【特許文献２】
特開平７−２６２５６７号公報
【特許文献３】
特開平１１−１１０７９６号公報
【０００７】
【発明が解決しようとする課題】
図２３は、対物レンズ５がトラッキング方向Ｔに駆動されていないときの状態を説明するための図であり、図２３（１）は対物レンズ５およびホルダ７の断面を簡略化して示し、図２３（２）は、図２３（１）の上方から見た対物レンズ４および開口８を示し、図２３（３）はコリメート光の光強度分布を示す。図２４は、対物レンズ５がトラッキング方向Ｔに駆動されたときの状態を説明するための図であり、図２４（１）は対物レンズ５およびホルダ７の断面を簡略化して示し、図２４（２）は図２４（１）の上方から見た対物レンズ４および開口８を示し、図２４（３）はコリメート光の光強度分布を示す。
【０００８】
第１の先行技術では、前述のように対物レンズ５が接着剤によってホルダ７に固定される。このような第１の先行技術では、対物レンズ５の周縁部とホルダ７との間には、必ず間隙Δｄが存在するので、対物レンズ５の光軸５ａと開口８の光軸８ａとを一致させることができず、対物レンズ５の光軸５ａと開口８の光軸８ａとの間には、ずれｄ１が存在する。ずれｄ１は、５０〜１００μｍ程度である。またホルダ７は、対物レンズ５がトラッキング方向Ｔに駆動されていないときに前記開口８の光軸８ａとコリメート光の光強度中心とが一致するように、設けられる。したがって対物レンズ５がトラッキング方向Ｔに駆動されていないときに対物レンズ５の光軸５ａとコリメート光の光強度中心との間には、図２３に示されるように、ずれｄ２（ｄ２＝ｄ１）が存在する。
【０００９】
対物レンズ５がトラッキング方向Ｔに駆動されたとき、たとえば対物レンズ５が図２４の矢符Ｔ１の方向に距離ｄ３だけ駆動されたときには、図２４に示されるように、対物レンズ５の光軸５ａとコリメート光の光強度中心との間には、ずれｄ４（ｄ４＝ｄ２＋ｄ３）が存在する。このように対物レンズ５の光軸５ａとコリメート光の光強度中心との間のずれｄ４は、対物レンズが駆動された距離ｄ３よりも、対物レンズ５の光軸５ａと開口８の光軸８ａとの間のずれｄ２の分だけ大きくなる。したがって対物レンズ５が矢符Ｔ１の方向に駆動されたときには、光ディスク６の記録面に形成される集光スポットの光強度分布の偏りが大きくなり、信号再生・記録特性が悪化してしまうという問題がある。
【００１０】
前記第２の先行技術では、開口部１６の開口周縁部１６ａには、対物レンズ１１の平面部１４の一部が当接するので、対物レンズ１１のホルダ１２に対する位置を精度よく決めることができず、対物レンズ５の光軸５ａと開口８の光軸８ａとの間には、ずれｄ５が存在する。第２の先行技術では、前記第１の先行技術と同様に、対物レンズ５の光軸５ａと開口８の光軸８ａとの間のずれｄ５によって信号再生・記録特性が悪化してしまうという問題がある。
【００１１】
本発明の目的は、対物レンズのトラッキング方向の駆動に伴う信号再生・記録特性の悪化を軽減することができる光ピックアップ装置を提供することである。
【００１２】
【課題を解決するための手段】
本発明は、予め定める第１光軸を有する対物レンズと、
前記対物レンズの周縁部を支持する支持部材と、
前記予め定める第１光軸に平行な予め定める第２光軸を有する開口が形成される開口部を有し、前記対物レンズが開口に臨んだ状態で、前記予め定める第２光軸に垂直な予め定めるスライド方向に、変位自在に前記支持部材を保持するホルダと、
前記支持部材のホルダに対する前記予め定めるスライド方向の位置を調整する位置調整手段とを含むことを特徴とする光ピックアップ装置である。
【００１３】
本発明に従えば、支持部材が対物レンズの周縁部を支持し、ホルダが前記支持部材を予め定めるスライド方向に変位自在に保持する。前記ホルダは、開口が形成される開口部を有する。前記予め定めるスライド方向は、前記開口の予め定める第２光軸に垂直である。支持部材がホルダに保持された状態では、前記対物レンズは開口に臨み、かつ対物レンズの予め定める第１光軸と開口の予め定める第２光軸とは平行である。
【００１４】
このように支持部材がホルダに保持された状態で、位置調整手段が、支持部材のホルダに対する前記予め定めるスライド方向の位置を調整する。したがって対物レンズの予め定める第１光軸と開口の予め定める第２光軸とを平行に維持しながら、位置調整手段によって、対物レンズの予め定める第１光軸と開口の予め定める第２光軸との間の距離を調整することができる。このような位置調整手段による調整によって、対物レンズの予め定める第１光軸と開口の予め定める第２光軸との間の距離を小さくすることができる。
【００１５】
したがって、たとえば対物レンズがトラッキング方向に駆動されていないときに開口の予め定める第２光軸とコリメート光の光強度中心とが一致するようにホルダが設けられる場合、対物レンズの予め定める第１光軸とコリメート光の光強度中心との間の距離は、対物レンズのトラッキング方向の駆動に伴って、小さな範囲内で変化する。これによって光ディスクの記録面に形成される集光スポットの光強度分布の偏りが抑制され、対物レンズのトラッキング方向の駆動に伴う信号再生・記録特性の悪化を軽減することができる。
【００１６】
また本発明は、予め定める第１光軸を有する対物レンズと、
前記対物レンズの周縁部を支持する支持部材と、
前記予め定める第１光軸に平行な予め定める第２光軸を有する開口が形成される開口部を有し、前記開口よりも前記予め定める第２光軸の半径方向の外方に配置され、かつ前記予め定める第２光軸に平行な予め定める角変位軸線まわりに、角変位自在に前記支持部材を保持するホルダと、
前記支持部材のホルダに対する前記予め定める角変位軸線まわりの位置を調整する位置調整手段とを含むことを特徴とする光ピックアップ装置である。
【００１７】
本発明に従えば、支持部材が対物レンズの周縁部を支持し、ホルダが前記支持部材を予め定める角変位軸線まわりに角変位自在に保持する。前記ホルダは、開口が形成される開口部を有する。前記予め定める角変位軸線は、前記開口の予め定める第２光軸に平行であり、かつ前記開口よりも前記予め定める第２光軸を中心とする半径方向の外方に配置される。支持部材がホルダに保持された状態では、前記対物レンズは開口に臨み、かつ対物レンズの予め定める第１光軸と開口の予め定める第２光軸とは平行である。
【００１８】
このように支持部材がホルダに保持された状態で、位置調整手段が、支持部材のホルダに対する前記予め定める角変位軸線まわりの位置を調整する。したがって対物レンズの予め定める第１光軸と開口の予め定める第２光軸とを平行に維持しながら、位置調整手段によって、対物レンズの予め定める第１光軸と開口の予め定める第２光軸との間の距離を調整することができる。このような位置調整手段による調整によって、対物レンズの予め定める第１光軸と開口の予め定める第２光軸との間の距離を小さくすることができる。
【００１９】
したがって、たとえば対物レンズがトラッキング方向に駆動されていないときに開口の予め定める第２光軸とコリメート光の光強度中心とが一致するようにホルダが設けられる場合、対物レンズの予め定める第１光軸とコリメート光の光強度中心との間の距離は、対物レンズのトラッキング方向の駆動に伴って、小さな範囲内で変化する。これによって光ディスクの記録面に形成される集光スポットの光強度分布の偏りが抑制され、対物レンズのトラッキング方向の駆動に伴う信号再生・記録特性の悪化を軽減することができる。
【００２０】
また本発明は、前記支持部材を、前記ホルダに対して固定する接着剤を含むことを特徴とする。
【００２１】
本発明に従えば、接着剤によって支持部材をホルダに対して固定するので、前記位置調整手段によって調整された支持部材のホルダに対する位置が維持される。したがって信号記録・再生時の振動などに起因して、支持部材がホルダに対して位置調整後に変位してしまうという不具合を防止することができる。
【００２２】
また本発明は、前記位置調整手段は、
前記ホルダと支持部材との間に介在され、支持部材をホルダに対して前記予め定める第２光軸に垂直な方向にばね付勢するばね付勢手段と、
前記支持部材をばね付勢手段によるばね力に抗して変位させるねじ手段とを含むことを特徴とする。
【００２３】
本発明に従えば、ホルダと支持部材との間には、ばね付勢手段が介在され、このばね付勢手段が、支持部材をホルダに対して前記予め定める第２光軸に垂直な方向にばね付勢する。このばね付勢手段によるばね力に抗して、ねじ手段が、支持部材を変位させる。したがってねじ手段の変位に応じて、支持部材を変位させることができ、支持部材のホルダに対する位置を容易に調整することができる。
【００２４】
また本発明は、前記支持部材には、前記予め定める第１光軸に平行で、かつ支持部材の変位方向に垂直な方向に延び、位置調整用ピンが挿入される長孔が形成されることを特徴とする。
【００２５】
本発明に従えば、支持部材には長孔が形成される。この長孔は、対物レンズの予め定める第１光軸に平行であり、したがって支持部材がホルダに保持された状態では、長孔はホルダの開口の予め定める第２光軸に平行である。またこの長孔は、支持部材の変位方向に垂直に延びる。このような長孔に位置調整用ピンを挿入し、この位置調整用ピンを、たとえば位置調整用ピンの軸線からずれた予め定める角変位軸線まわりに角変位させることによって、支持部材のホルダに対する位置を容易に調整することができる。
【００２６】
詳細に述べると、位置調整用ピンを、位置調整用ピンの軸線からずれた予め定める角変位軸線まわりに角変位させると、位置調整用ピンは、支持部材の変位方向と、支持部材の変位方向に垂直な方向とに変位する。位置調整用ピンが挿入される長孔は、支持部材の変位方向に垂直であるので、支持部材の変位方向に垂直な方向への位置調整用ピンの変位は許容される。これに対して、支持部材の変位方向への位置調整用ピンの変位によって、位置調整用ピンは、支持部材を、その変位方向に押圧して、その変位方向に変位させる。このようにして支持部材を変位させることによって、支持部材のホルダに対する位置が調整される。
【００２７】
また本発明は、予め定める第１光軸を有し、球面部が形成される対物レンズと、
前記予め定める第１光軸に平行な予め定める第２光軸を有する開口が形成される開口部を有し、前記対物レンズの球面部の少なくとも一部が開口部の開口周縁部に当接した状態で、対物レンズを保持するホルダとを含むことを特徴とする光ピックアップ装置である。
【００２８】
本発明に従えば、対物レンズを保持するホルダは、開口部が形成される開口部を有する。対物レンズがホルダに保持された状態では、対物レンズの球面部の少なくとも一部が前記開口部の開口周縁部に当接するので、対物レンズのホルダに対する位置の精度が向上される。これによって対物レンズの球面部の軸線と開口の予め定める第２光軸との間の距離を小さくすることができる。前記対物レンズの球面部の軸線と、対物レンズの予め定める第１光軸とは、ほぼ一致しているので、対物レンズの予め定める第１光軸と開口の予め定める第２光軸との間の距離を小さくすることができる。
【００２９】
したがって、たとえば対物レンズがトラッキング方向に駆動されていないときに開口の予め定める第２光軸とコリメート光の光強度中心とが一致するようにホルダが設けられる場合、対物レンズの予め定める第１光軸とコリメート光の光強度中心との間の距離は、対物レンズのトラッキング方向の駆動に伴って、小さな範囲内で変化する。これによって光ディスクの記録面に形成される集光スポットの光強度分布の偏りが抑制され、対物レンズのトラッキング方向の駆動に伴う信号再生・記録特性の悪化を軽減することができる。
【００３０】
また本発明は、前記ホルダの開口部は、対物レンズよりも硬度の小さい材料から成ることを特徴とする。
【００３１】
本発明に従えば、ホルダの開口部が、対物レンズよりも硬度の小さい材料から成るので、信号再生・記録時の振動などによって前記開口周縁部から対物レンズに衝撃力が作用して対物レンズが破損してしまうという不具合を防止することができる。
【００３２】
【発明の実施の形態】
図１は、本発明の実施の第１の形態の光ピックアップ装置２１の全体の構成を簡略化して示す図である。本実施の形態の光ピックアップ装置２１は、たとえばデジタルバーサタイルディスク（Ｄｉｇｉｔａｌ  Ｖｅｒｓａｔｉｌｅ  Ｄｉｓｃ、略称ＤＶＤ）記録再生装置などの光ディスク装置に搭載される。光ピックアップ装置２１は、第１および第２光源２２ａ，２２ｂと、ビームスプリッタ２３と、コリメートレンズ２４と、対物レンズ２５とを含む。
【００３３】
第１および第２光源２２ａ，２２ｂは、相互に波長の異なる光ビームを発生する。これらの第１および第２光源２２ａ，２２ｂは、たとえば半導体レーザ装置によって実現される。ビームスプリッタ２３は、波長選択性を有し、前記第１および第２光源２２ａ，２２ｂからの光ビームをコリメートレンズ２４に導く。コリメートレンズ２４は、ビームスプリッタ２３からの光ビームを平行光にして、対物レンズ２５に導く。対物レンズ２５は、コリメートレンズ２４からの光ビームを集光し、光ディスク２６の記録面に、所定のスポット径を有する集光スポットを形成する。以下、コリメートレンズ２４から対物レンズ２５に導かれる光ビームを、コリメート光と表記することがある。
【００３４】
図２は、光ピックアップ装置２１の対物レンズ駆動装置２７を簡略化して示す正面図である。この対物レンズ駆動装置２７は、いわゆる４ワイヤ方式アクチュエータである。光学部品が固定されるピックアップベース（図示せず）には、このピックアップベースから垂直に突出するスペーサ２８が設けられる。このスペーサ２８には、４本のサスペンションワイヤ２９ａ〜２９ｄの延在部分の一端部がそれぞれ取付けられる。４本のサスペンションワイヤ２９ａ〜２９ｄの延在部分の他端部には、ホルダ３０が取付けられる。ホルダ３０は、前記４本のサスペンションワイヤ２９ａ〜２９ｄによって、前記ピックアップベースから離反した状態で、支持される。
【００３５】
前記ホルダ３０には、対物レンズ２５が設けられる。また前記ホルダ３０には、トラッキングコイル３１ａ〜３１ｄおよびフォーカスコイル（図示せず）が固定される。これらのトラッキングコイル３１ａ〜３１ｄおよびフォーカスコイルに近接して、ヨーク３２ａ，３２ｂおよびマグネット３３ａ，３３ｂが設けられる。ヨーク３２ａ，３２ｂおよびマグネット３３ａ，３３ｂは、前記ピックアップベースに設けられる。
【００３６】
ヨーク３２ａ，３２ｂおよびマグネット３３ａ，３３ｂによって形成される磁場の中で、前記トラッキングコイル３１ａ〜３１ｄに通電することによって、ホルダ３０を予め定めるトラッキング方向Ｔに駆動させ、前記フォーカスコイルに通電することによって、ホルダ３０を予め定めるフォーカシング方向Ｆに駆動させる。これによってホルダ３０に設けられる対物レンズ２５を前記予め定めるトラッキング方向Ｔおよび前記予め定めるフォーカシング方向Ｆに駆動させる。
【００３７】
対物レンズ２５を前記予め定めるトラッキング方向Ｔに駆動させることによって、光ディスク２６の記録面における記録信号トラックを追従する。また対物レンズ２５を前記予め定めるフォーカシング方向Ｆに駆動させることによって、対物レンズ２５と光ディスク２６の記録面との距離を、光ディスク２６の記録面における凸凹、および光ディスク２６が装着されるスピンドル機構の精度などに影響されることなく、常に一定に保つ。光ピックアップ装置２１は、前述のようにして対物レンズ２５を所望の位置に制御して、光ディスク２６に対する信号の記録および消去、ならびに光ディスク２６からの信号の検出を行う。
【００３８】
図３は、本発明の実施の第１の形態である光ピックアップ装置２１を示す正面図である。図４は、ホルダ３０を示す正面図である。対物レンズ２５は、支持部材３６によって支持され、この支持部材３６は、ホルダ３０によって保持される。
【００３９】
対物レンズ２５は、予め定める第１光軸Ｌ１を有する。支持部材３６は、その厚み方向に垂直な断面が矩形である。支持部材３６の中央部には、厚み方向に貫通する貫通孔３７が形成される。この貫通孔３７には、前記対物レンズ２５が嵌め込まれ、支持部材３６は、この対物レンズ２５の周縁部を支持する。支持部材３６の厚み方向と対物レンズ２５の予め定める第１光軸Ｌ１とは平行である。対物レンズ２５と支持部材３６との間には、接着剤が介在され、この接着剤によって、対物レンズ２５が支持部材３６に対して固定される。
【００４０】
ホルダ３０は、ホルダ本体４０を有する。ホルダ本体４０の中央部には、開口部４１が設けられる。開口部４１には、予め定める第２光軸Ｌ２を有する開口４２が形成される。この開口４２は、本実施の形態の光ピックアップ装置２１が対象とする光ディスク２６に適した大きさに、形成される。またホルダ本体４０には、前記予め定める第２光軸Ｌ２に沿ってホルダ本体４０から突出する周壁４３が設けられる。この周壁４３は、前記予め定める第２光軸Ｌ２に垂直な断面が矩形であり、四角筒状の内周面を有する。
【００４１】
前記周壁４３は、第１〜第４壁部４３ａ〜４３ｄを有する。ここで、前記予め定める第２光軸Ｌ２を含む、第１および第２仮想平面４４，４５を想定する。第１および第２仮想平面４４，４５は、相互に垂直である。このような第１および第２仮想平面４４，４５を想定したとき、第１壁部４３ａは、第１仮想平面４４に平行であり、かつ第１仮想平面４４に関して一方に配置される。第２壁部４３ｂは、第１仮想平面４４に平行であり、かつ第１仮想平面４４に関して他方に配置される。第３壁部４３ｃは、第２仮想平面４５に平行であり、かつ第２仮想平面４５に関して一方に配置される。第４壁部４３ｄは、第２仮想平面４５に平行であり、かつ第２仮想平面４５に関して他方に配置される。
【００４２】
前記周壁４３によって囲まれる空間には、前記支持部材３６が配置される。この状態では、対物レンズ２５は開口４２に臨み、かつ対物レンズ２５の予め定める第１光軸Ｌ１と開口４２の予め定める第２光軸Ｌ２とは平行である。ホルダ本体４０および開口部４１は、支持部材３６を支持して、支持部材３６の重力による下方への変位を阻止する。
【００４３】
第１および第２壁部４３ａ，４３ｂは、前記予め定める第２光軸Ｌ２に垂直な予め定めるスライド方向Ｓに支持部材３６を案内する。前記予め定めるスライド方向Ｓは、前記予め定めるトラッキング方向Ｔに対して平行または略平行である。第１壁部４３ａと、この第１壁部４３ａに対向する支持部材３６の側部との間、および第２壁部４３ｂと、この第２壁部４３ｂに対向する支持部材３６の側部との間には、隙間がそれぞれ存在する。前記隙間は、支持部材３６のホルダ３０に対する前記予め定めるスライド方向Ｓの変位を許容し、かつ支持部材３６および周壁４３の公差を許容する。
【００４４】
第３壁部４３ｃと、この第３壁部４３ｃに対向する支持部材３６の側部との間には、ばね付勢手段であるばね部材４６が介在される。ばね部材４６は、支持部材３６に向かって凸に湾曲した板ばねである。ばね部材４６の一端部４６ａと第１壁部４３ａとの間、およびばね部材４６の他端部４６ｂと第２壁部４３ｂとの間には、間隔がそれぞれ存在する。前記間隔は、ばね部材４６の第３壁部４３ｃに沿う方向への伸長を許容する。これによってばね部材４６は、第３壁部４３ｃに垂直な方向に縮退および伸長することができる。
【００４５】
第４壁部４３ｄの一部には、第４壁部４３ｄに垂直な貫通孔４７が形成され、この貫通孔４７には、螺進および螺退自在にねじ部材４８が螺合される。ねじ部材４８の先端部４８ａは、第４壁部４３ｄに対向する支持部材３６の側部に当接する。第４壁部４３ｄと、この第４壁部４３ｄに対向する支持部材３６の側部との間には、間隔が存在する。
【００４６】
本実施の形態においては、前記第４壁部４３ｄの一部とねじ部材４８とを含んで、ねじ手段が構成され、このねじ手段と前記ばね部材４６とを含んで、位置調整手段が構成される。
【００４７】
本実施の形態では、前記第１および第２壁部４３ａ，４３ｂが支持部材３６を前記予め定めるスライド方向Ｓに案内するので、ホルダ３０は、角変位を阻止した状態で、前記予め定めるスライド方向Ｓに、変位自在に支持部材３６を保持することができる。このようにホルダ３０が支持部材３６を保持した状態で、前記ばね部材４６は、支持部材３６をホルダ３０に対して、第３壁部４３ｃから第４壁部４３ｄに向かう方向にばね付勢する。前記ねじ部材４８は、回転操作されることによって、第４壁部４３ｄに対して螺進および螺退し、これによって支持部材３６を前記ばね部材４６によるばね力に抗して変位させることができる。したがってねじ部材４８の回転操作によって、支持部材３６のホルダ３０に対する前記予め定めるスライド方向Ｓの位置を容易に調整することができる。
【００４８】
また本実施の形態では、支持部材３６は、常にばね部材４６とねじ部材４８とに挟まれた状態で、ホルダ３０に保持されるので、支持部材３６のがたつきが防止される。
【００４９】
図５は、対物レンズ２５をホルダ３０に装着する手順を説明するための図であり、図５（１）は対物レンズ２５を示し、図５（２）は対物レンズ２５が支持部材３６に支持された状態を示し、図５（３）は支持部材３６がホルダ３０に保持された状態を示す。
【００５０】
まず、図５（１）に示されるように、対物レンズ２５を準備する。次に、図５（２）に示されるように、対物レンズ２５を支持部材３６の貫通孔３７に嵌め込み、接着剤によって、対物レンズ２５を支持部材３６に対して固定する。こうして対物レンズ２５を支持部材３６に対して固定した後、図５（３）に示されるように、第３壁部４３ｃと支持部材３６との間にばね部材４６が介在された状態で、支持部材３６をホルダ３０に装着する。このようにして対物レンズ２５をホルダ３０に装着する。
【００５１】
図６は、位置調整前の状態を説明するための図であり、図６（１）は図３の切断面線Ｃ６−Ｃ６から見た対物レンズ２５および開口部４１の断面を簡略化して示し、図６（２）は図６（１）の上方から見た対物レンズ２５および開口４２を示し、図６（３）はコリメート光の光強度分布を示す。本実施の形態においては、対物レンズ２５が前記予め定めるトラッキング方向Ｔに駆動されていないときに開口４２の予め定める第２光軸Ｌ２とコリメート光の光強度中心とが一致するように、ホルダ３０が設けられる。
【００５２】
コリメート光の光強度中心は、ホルダ３０が支持部材３６を保持していない状態でホルダ３０の開口４２を介して、たとえば電荷結合素子（Ｃｈａｒｇｅ  ＣｏｕｐｌｅｄＤｅｖｉｃｅ；略称ＣＣＤ）カメラによって、コリメート光を受光し、この電荷結合素子カメラからの出力の強度に基づいて算出される。この算出されたコリメート光の光強度中心と開口４２の中心とを一致させることによって、開口４２の予め定める第２光軸Ｌ２とコリメート光の光強度中心とを一致させる。
【００５３】
支持部材３６のホルダ３０に対する前記予め定めるスライド方向Ｓの位置を調整する前は、図６（１）および図６（２）に示されるように、対物レンズ２５の予め定める第１光軸Ｌ１と開口４２の予め定める第２光軸Ｌ２との間には、前記予め定めるスライド方向Ｓに、ずれｄ１１が存在する。前述のように対物レンズ２５が前記予め定めるトラッキング方向Ｔに駆動されていないときに開口４２の予め定める第２光軸Ｌ２とコリメート光の光強度中心とが一致するようにホルダ３０が設けられる。したがって対物レンズ２５が前記予め定めるトラッキング方向Ｔに駆動されていないとき、対物レンズ２５の予め定める第１光軸Ｌ１とコリメート光の光強度中心との間には、図６（３）に示されるように、前記予め定めるスライド方向Ｓにずれｄ１２（ｄ１２＝ｄ１１）が存在する。
【００５４】
図７は、位置調整後の状態を説明するための図であり、図７（１）は図３の切断面線Ｃ６−Ｃ６から見た対物レンズ２５および開口部４１の断面を簡略化して示し、図７（２）は図７（１）の上方から見た対物レンズ２５および開口４２を示し、図７（３）はコリメート光の光強度分布を示す。本実施の形態では、ねじ部材４８を回転操作することによって、支持部材３６をホルダ３０に対して図７（１）の矢符Ｓ１の方向に変位させ、これによって対物レンズ２５の予め定める第１光軸Ｌ１と開口４２の予め定める第２光軸Ｌ２との距離を小さくすることができる。
【００５５】
ホルダ３０は、金型によって、ホルダ本体４０、開口部４１および周壁４３が同時に成形される。したがってホルダ本体４０、開口部４１および周壁４３の外形およびそれらの間の位置関係は、非常に精度よく管理されている。これに対して、対物レンズ２５は接着剤によって支持部材３６に対して固定されるので、対物レンズ２５および支持部材３６の位置関係は、精度が低い。
【００５６】
支持部材３６に支持された対物レンズ２５の予め定める第１光軸Ｌ１が設計基準に一致しているときは、第４壁部４３ｄに臨む支持部材３６の側面４９と支持部材３６に臨む第４壁部４３ｄの内面５０との距離を、設計基準値に調整する。これによって対物レンズ２５の予め定める第１光軸Ｌ１と開口４２の予め定める第２光軸Ｌ２とを、容易に一致させることができる。
【００５７】
支持部材３６に支持された対物レンズ２５の予め定める第１光軸Ｌ１が設計基準に一致していないときは、まず、対物レンズ２５の予め定める第１光軸Ｌ１の設計基準からのずれ量を、たとえば工場顕微鏡などで測定する。次に、第４壁部４３ｄに臨む支持部材３６の側面４９と支持部材３６に臨む第４壁部４３ｄの内面５０との距離を、設計基準値にそのずれ量を付加した値に調整する。これによって対物レンズ２５の予め定める第１光軸Ｌ１と開口４２の予め定める第２光軸Ｌ２とを、容易に一致させることができる。
【００５８】
このようにして支持部材３６のホルダ３０に対する前記予め定めるスライド方向Ｓに関する位置を調整した後は、対物レンズ２５の予め定める第１光軸Ｌ１と開口４２の予め定める第２光軸Ｌ２との間には、図７（１）および図７（２）に示されるように、前記予め定めるスライド方向Ｓのずれｄ１３がなくなる（ｄ１３＝０）。したがって対物レンズ２５が前記予め定めるトラッキング方向Ｔに駆動されていないとき、対物レンズ２５の予め定める第１光軸Ｌ１とコリメート光の光強度中心との間には、図７（３）に示されるように、前記予め定めるスライド方向Ｓのずれｄ１４がなくなる（ｄ１４＝０）。
【００５９】
図８は、対物レンズ２５が前記予め定めるトラッキング方向Ｔに駆動された状態を説明するための図であり、図８（１）は図３の切断面線Ｃ６−Ｃ６から見た対物レンズ２５および開口部４１の断面を簡略化して示し、図８（２）は図８（１）の上方から見た対物レンズ２５および開口４２を示し、図８（３）はコリメート光の光強度分布を示す。前述のように対物レンズ２５が前記予め定めるトラッキング方向Ｔに駆動されていないときに対物レンズ２５の予め定める第１光軸Ｌ１とコリメート光の光強度中心とが一致しているので、対物レンズ２５がコリメート光に対して矢符Ｔ１の方向に距離ｍだけ駆動されたときに、対物レンズ２５の予め定める第１光軸Ｌ１とコリメート光の光強度中心との間のずれｄ１５は、対物レンズ２５が駆動された距離ｍだけとなる。
【００６０】
したがって本実施の形態では、対物レンズ２５の予め定める第１光軸Ｌ１とコリメート光の光強度中心との間の距離は、対物レンズ２５の前記予め定めるトラッキング方向Ｔの駆動に伴って、前記各先行技術に比べて小さな範囲内で変化する。これによって光ディスク２６の記録面に形成される集光スポットの光強度分布の偏りが抑制され、対物レンズ２５の前記予め定めるトラッキング方向Ｔの駆動に伴う信号再生・記録特性の悪化を軽減することができる。
【００６１】
本発明の実施の他の形態では、前述の本発明の実施の第１の形態において、支持部材３６のホルダ３０に対する位置を調整した後、接着剤によって、支持部材３６をホルダ３０に対して固定する。本実施の形態では、接着剤によって支持部材３６をホルダ３０に対して固定するので、位置調整手段によって調整された支持部材３６のホルダ３０に対する位置が維持される。したがって信号記録・再生時の振動などに起因して、支持部材３６がホルダ３０に対して位置調整後に変位してしまうという不具合を防止することができる。
【００６２】
図９は、本発明の実施の第２の形態である光ピックアップ装置を示す正面図である。図１０は、ホルダ５６を示す正面図である。本実施の形態の光ピックアップ装置は、前述の本発明の実施の第１の形態の光ピックアップ装置２１に類似するので、同一の部分には、同一の参照符を付し、説明を省略する。対物レンズ２５は、支持部材５５に支持され、この支持部材５５は、ホルダ５６に保持される。
【００６３】
支持部材５５は、その厚み方向に垂直な断面が六角形である。第２壁部４３ｂに近接する支持部材５５の角隅部には、対物レンズ２５の予め定める第１光軸Ｌ１に平行な挿通孔５８が形成される（図１１（２）参照）。この挿通孔５８には、後述の丸ピン５９が挿通される。
【００６４】
ホルダ５６のホルダ本体４０には、このホルダ本体４０から突出する丸ピン５９が設けられる。丸ピン５９は、開口部４１と第２壁部４３ｂとの間の中間で、かつ第３壁部４３ｃと第４壁部４３ｄとの間の中間に、配置される。丸ピン５９は、開口４２の予め定める第２光軸Ｌ２に平行な予め定める角変位軸線Ｌ３を有する。
【００６５】
前記周壁４３によって囲まれる空間には、前記支持部材５５が配置される。この状態では、対物レンズ２５は開口４２に臨み、かつ対物レンズ２５の予め定める第１光軸Ｌ１と開口４２の予め定める第２光軸Ｌ２とは平行である。さらに、支持部材５５の挿通孔５８には、前記丸ピン５９が挿通される。ホルダ本体４０および開口部４１は、支持部材５５を支持して、支持部材５５の重力による下方への変位を阻止する。
【００６６】
図１１は、対物レンズ２５をホルダ５６に装着する手順を説明するための図であり、図１１（１）は対物レンズ２５を示し、図１１（２）は対物レンズ２５が支持部材５５に支持された状態を示し、図１１（３）は支持部材５５がホルダ５６に保持された状態を示す。
【００６７】
まず、図１１（１）に示されるように、対物レンズ２５を準備する。次に、図１１（２）に示されるように、対物レンズ２５を支持部材５５の貫通孔３７に嵌め込み、接着剤によって、対物レンズ２５を支持部材５５に対して固定する。こうして対物レンズ２５を支持部材５５に対して固定した後、図１１（３）に示されるように、第１壁部４３ａと支持部材５５との間にばね部材４６が介在され、かつ挿通孔５８に丸ピン５９が挿通された状態で、支持部材５５をホルダ５６に装着する。このようにして対物レンズ２５をホルダ５６に装着する。
【００６８】
本実施の形態では、支持部材５５の挿通孔５８には、前記丸ピン５９が挿通されるので、ホルダ５６は、前記予め定める角変位軸線Ｌ３まわりに、角変位自在に支持部材５５を保持することができる。前記角変位の方向は、前記予め定めるトラッキング方向Ｔに対して平行または略平行である。このようにホルダ５６が支持部材５５を保持した状態で、前記ばね部材４６は、支持部材５５をホルダ５６に対して、矢符Ｒ１の方向にばね付勢する。前記ねじ部材４８は、回転操作されることによって、第４壁部４３ｄに対して螺進および螺退し、これによって支持部材５５を前記ばね部材４６によるばね力に抗して変位させることができる。したがってねじ部材４８の回転操作によって、支持部材５５のホルダ５６に対する前記予め定める角変位軸線Ｌ３まわりの位置を調整することができる。このような調整によって、対物レンズ２５の予め定める第１光軸Ｌ１と開口４２の予め定める第２光軸Ｌ２との間の距離を小さくすることができる。したがって前述の本発明の実施の第１の形態と同様の効果を達成することができる。
【００６９】
本発明の実施の他の形態では、前述の本発明の実施の第２の形態において、支持部材５５のホルダ５６に対する位置を調整した後、接着剤によって、支持部材５５をホルダ５６に対して固定する。本実施の形態では、接着剤によって支持部材５５をホルダ５６に対して固定するので、位置調整手段によって調整された支持部材５５のホルダ５６に対する位置が維持される。したがって信号記録・再生時の振動などに起因して、支持部材５５がホルダ５６に対して位置調整後に変位してしまうという不具合を防止することができる。
【００７０】
図１２は、本発明の実施の第３の形態である光ピックアップ装置を示す正面図である。図１３は、ホルダ６２を示す正面図である。本実施の形態の光ピックアップ装置は、前述の本発明の実施の第１の形態の光ピックアップ装置２１に類似するので、同一の部分には、同一の参照符を付し、説明を省略する。対物レンズ２５は、支持部材６１に支持され、この支持部材６１は、ホルダ６２に保持される。
【００７１】
第１壁部４３ａに近接する支持部材６１の一部には、対物レンズ２５の予め定める第１光軸Ｌ１に平行で、かつ前記予め定めるスライド方向Ｓに垂直な方向に延びる長孔６３が形成される。この長孔６３には、位置調整用ピンである偏芯ピン６４が挿入される。
【００７２】
前述の本発明の実施の第１および第２の形態では、ねじ手段とばね部材４６とを含んで位置調整手段が構成されるが、本実施の形態においては、前記支持部材６１の一部と偏芯ピン６４とを含んで位置調整手段が構成される。
【００７３】
前記偏芯ピン６４は、予め定める角変位軸線Ｌ４を有する基部６５から突出する。前記予め定める角変位軸線Ｌ４は、対物レンズ２５の予め定める第１光軸Ｌ１に平行である。偏芯ピン６４は、前記基部６５の前記予め定める角変位軸線Ｌ４から離反した部分から、前記予め定める角変位軸線Ｌ４に沿って突出する。基部６５は、図示しないジグによって、前記予め定める角変位軸線Ｌ４まわりに角変位自在に支持される。
【００７４】
図１４は、対物レンズ２５をホルダ６２に装着する手順を説明するための図であり、図１４（１）は対物レンズ２５を示し、図１４（２）は対物レンズ２５が支持部材６１に支持された状態を示し、図１４（３）は支持部材６１がホルダ６２に保持された状態を示す。
【００７５】
まず、図１４（１）に示されるように、対物レンズ２５を準備する。次に、図１４（２）に示されるように、対物レンズ２５を支持部材６１の貫通孔３７に嵌め込み、接着剤によって、対物レンズ２５を支持部材６１に対して固定する。こうして対物レンズ２５を支持部材６１に対して固定した後、図１４（３）に示されるように、支持部材６１をホルダ６２に装着する。このようにして対物レンズ２５をホルダ６２に装着する。
【００７６】
本実施の形態では、ホルダ６２は、前記予め定めるスライド方向Ｓに、変位自在に支持部材６１を保持する。この状態で、前記長孔６３に偏芯ピン６４を挿入し、この偏芯ピン６４を、前記基部６５の予め定める角変位軸線Ｌ４まわりに角変位させることによって、支持部材６１のホルダ６２に対する位置を容易に調整することができる。このような調整によって、対物レンズ２５の予め定める第１光軸Ｌ１と開口４２の予め定める第２光軸Ｌ２との間の距離を小さくすることができる。したがって前述の本発明の実施の第１の形態と同様の効果を達成することができる。
【００７７】
詳細に述べると、偏芯ピン６４を、前記基部６５の予め定める角変位軸線Ｌ４まわりに角変位させると、偏芯ピン６４は、前記予め定めるスライド方向Ｓと、前記予め定めるスライド方向Ｓに垂直な方向とに変位する。偏芯ピン６４が挿入される長孔６３は、前記予め定めるスライド方向Ｓに垂直に延びるので、前記予め定めるスライド方向Ｓに垂直な方向への偏芯ピン６４の変位は許容される。これに対して、前記予め定めるスライド方向Ｓへの偏芯ピン６４の変位によって、偏芯ピン６４は、支持部材６１を、前記予め定めるスライド方向Ｓに押圧して、前記予め定めるスライド方向Ｓに変位させる。このようにして支持部材６１を変位させることによって、支持部材６１のホルダ６２に対する前記予め定めるスライド方向Ｓの位置が調整される。
【００７８】
本発明の実施の他の形態では、前述の本発明の実施の第３の形態において、支持部材６１のホルダ６２に対する位置を調整した後、接着剤によって、支持部材６１をホルダ６２に対して固定する。本実施の形態では、接着剤によって支持部材６１をホルダ６２に対して固定するので、位置調整手段によって調整された支持部材６１のホルダ６２に対する位置が維持される。したがって信号記録・再生時の振動などに起因して、支持部材６１がホルダ６２に対して位置調整後に変位してしまうという不具合を防止することができる。
【００７９】
図１５は、本発明の実施の第４の形態である光ピックアップ装置を示す正面図である。図１６は、ホルダ６９を示す正面図である。本実施の形態の光ピックアップ装置は、前述の実施の各形態の光ピックアップ装置に類似するので、同一の部分には、同一の参照符を付し、説明を省略する。対物レンズ２５は、支持部材６８に支持され、この支持部材６８は、ホルダ６９に保持される。
【００８０】
支持部材６８は、その厚み方向に垂直な断面が六角形である。第２壁部４３ｂに近接する支持部材６８の角隅部には、対物レンズ２５の予め定める第１光軸Ｌ１に平行な挿通孔５８が形成される（図１７（２）参照）。この挿通孔５８には、丸ピン５９が挿通される。第１壁部４３ａに近接する支持部材６８の一部には、対物レンズ２５の予め定める第１光軸Ｌ１に平行で、かつ支持部材６８の角変位の方向に垂直な方向に延びる長孔６３が形成される。この長孔６３には、位置調整用ピンである偏芯ピン６４が挿入される。本実施の形態においては、前記第１壁部４３ａに近接する支持部材６８の一部と偏芯ピン６４とを含んで位置調整手段が構成される。
【００８１】
前記周壁４３によって囲まれる空間には、前記支持部材６８が配置される。この状態では、対物レンズ２５は開口４２に臨み、かつ対物レンズ２５の予め定める第１光軸Ｌ１と開口４２の予め定める第２光軸Ｌ２とは平行である。さらに、支持部材６８の挿通孔５８には、丸ピン５９が挿通される。ホルダ本体４０および開口部４１は、支持部材６８を支持して、支持部材６８の重力による下方への変位を阻止する。
【００８２】
図１７は、対物レンズ２５をホルダ６９に装着する手順を説明するための図であり、図１７（１）は対物レンズ２５を示し、図１７（２）は対物レンズ２５が支持部材６８に支持された状態を示し、図１７（３）は支持部材６８がホルダ６９に保持された状態を示す。
【００８３】
まず、図１７（１）に示されるように、対物レンズ２５を準備する。次に、図１７（２）に示されるように、対物レンズ２５を支持部材６８の貫通孔３７に嵌め込み、接着剤によって、対物レンズ２５を支持部材６８に対して固定する。こうして対物レンズ２５を支持部材６８に対して固定した後、図１７（３）に示されるように、挿通孔５８に丸ピン５９が挿通された状態で、支持部材６８をホルダ６９に装着する。このようにして対物レンズ２５をホルダ６９に装着する。
【００８４】
本実施の形態では、ホルダ６９は、前記予め定める角変位軸線Ｌ３まわりに、角変位自在に支持部材６８を保持する。この状態で、前記長孔６３に偏芯ピン６４を挿入し、この偏芯ピン６４を、前記基部６５の予め定める角変位軸線Ｌ４まわりに角変位させることによって、支持部材６８のホルダ６９に対する位置を容易に調整することができる。このような調整によって、対物レンズ２５の予め定める第１光軸Ｌ１と開口４２の予め定める第２光軸Ｌ２との間の距離を小さくすることができる。したがって前述の本発明の実施の第１の形態と同様の効果を達成することができる。
【００８５】
本発明の実施の他の形態では、前述の本発明の実施の第４の形態において、支持部材６８のホルダ６９に対する位置を調整した後、接着剤によって、支持部材６８をホルダ６９に対して固定する。本実施の形態では、接着剤によって支持部材６８をホルダ６９に対して固定するので、位置調整手段によって調整された支持部材６８のホルダ６９に対する位置が維持される。したがって信号記録・再生時の振動などに起因して、支持部材６８がホルダ６９に対して位置調整後に変位してしまうという不具合を防止することができる。
【００８６】
図１８は、本発明の実施の第５の形態の光ピックアップ装置の対物レンズ２５およびホルダ７５を簡略化して示す断面図である。図１９は、ホルダ７５を示す正面図である。本実施の形態の光ピックアップ装置は、前述の本発明の実施の第１の形態の光ピックアップ装置２１に類似するので、同一の部分には、同一の参照符を付し、説明を省略する。
【００８７】
本実施の形態においては、支持部材３６はなく、したがって対物レンズ２５は、ホルダ７５に直接、保持される。ホルダ７５は、ホルダ本体４０を有する。ホルダ本体４０の中央部には、開口部４１が設けられる。開口部４１には、予め定める第２光軸Ｌ２を有する開口４２が形成される。開口部４１の内周面は、前記予め定める第２光軸Ｌ２に沿って対物レンズ２５に近付くにつれて、前記予め定める第２光軸Ｌ２の半径方向内方に傾斜する。開口部４１は、対物レンズ２５よりも硬度の小さい材料から成る。この開口部４１の前記予め定める第２光軸Ｌ２に最も近付く部分である開口周縁部７７には、対物レンズ２５の球面部７６が当接する。この状態で、対物レンズ２５が接着剤によってホルダ７５に対して固定される。
【００８８】
本実施の形態では、対物レンズ２５がホルダ７５に保持された状態では、対物レンズ２５の球面部７６の少なくとも一部が前記開口部４１の開口周縁部７７に当接するので、対物レンズ２５の球面部７６の軸線Ｌ５と開口４２の予め定める第２光軸Ｌ２との間の距離を小さくすることができる。前記対物レンズ２５の球面部７６の軸線Ｌ５と、対物レンズ２５の予め定める第１光軸Ｌ１とは、ほぼ一致している。したがって対物レンズ２５の予め定める第１光軸Ｌ１と開口４２の予め定める第２光軸Ｌ２との間の距離を小さくすることができ、前述の本発明の実施の第１の形態と同様の効果を達成することができる。
【００８９】
また本実施の形態では、ホルダ７５の開口部４１が、対物レンズ２５よりも硬度の小さい材料から成るので、記録・再生時の振動などによって前記開口周縁部７７から対物レンズ２５に衝撃力が作用して対物レンズ２５が破損するという不具合を防ぐことができる。
【００９０】
【発明の効果】
以上のように本発明によれば、支持部材が対物レンズの周縁部を支持し、ホルダが前記支持部材を予め定めるスライド方向に変位自在に保持した状態で、位置調整手段が、支持部材のホルダに対する前記予め定めるスライド方向の位置を調整する。これによって対物レンズの予め定める第１光軸と開口の予め定める第２光軸との間の距離を調整することができる。このような位置調整手段による調整によって、対物レンズの予め定める第１光軸と開口の予め定める第２光軸との間の距離を小さくすることができる。
【００９１】
したがって、たとえば対物レンズがトラッキング方向に駆動されていないときに開口の予め定める第２光軸とコリメート光の光強度中心とが一致するようにホルダが設けられる場合、対物レンズの予め定める第１光軸とコリメート光の光強度中心との間の距離は、対物レンズのトラッキング方向の駆動に伴って、小さな範囲内で変化する。これによって光ディスクの記録面に形成される集光スポットの光強度分布の偏りが抑制され、対物レンズのトラッキング方向の駆動に伴う信号再生・記録特性の悪化を軽減することができる。
【００９２】
また本発明によれば、支持部材が対物レンズの周縁部を支持し、ホルダが前記支持部材を予め定める角変位軸線まわりに角変位自在に保持した状態で、位置調整手段が、支持部材のホルダに対する前記予め定める角変位軸線まわりの位置を調整する。これによって対物レンズの予め定める第１光軸と開口の予め定める第２光軸との間の距離を調整することができる。このような位置調整手段による調整によって、対物レンズの予め定める第１光軸と開口の予め定める第２光軸との間の距離を小さくすることができる。
【００９３】
したがって、たとえば対物レンズがトラッキング方向に駆動されていないときに開口の予め定める第２光軸とコリメート光の光強度中心とが一致するようにホルダが設けられる場合、対物レンズの予め定める第１光軸とコリメート光の光強度中心との間の距離は、対物レンズのトラッキング方向の駆動に伴って、小さな範囲内で変化する。これによって光ディスクの記録面に形成される集光スポットの光強度分布の偏りが抑制され、対物レンズのトラッキング方向の駆動に伴う信号再生・記録特性の悪化を軽減することができる。
【００９４】
また本発明によれば、接着剤によって支持部材をホルダに対して固定するので、前記位置調整手段によって調整された支持部材のホルダに対する位置が維持される。したがって信号記録・再生時の振動などに起因して、支持部材がホルダに対して位置調整後に変位してしまうという不具合を防止することができる。
【００９５】
また本発明によれば、ホルダと支持部材との間には、ばね付勢手段が介在され、このばね付勢手段が、支持部材をホルダに対して前記予め定める第２光軸に垂直な方向にばね付勢する。このばね付勢手段によるばね力に抗して、ねじ手段が、支持部材を変位させる。したがってねじ手段の変位に応じて、支持部材を変位させることができ、支持部材のホルダに対する位置を容易に調整することができる。
【００９６】
また本発明によれば、支持部材には長孔が形成される。この長孔は、対物レンズの予め定める第１光軸に平行であり、したがって支持部材がホルダに保持された状態では、長孔はホルダの開口の予め定める第２光軸に平行である。またこの長孔は、支持部材の変位方向に垂直に延びる。このような長孔に位置調整用ピンを挿入し、この位置調整用ピンを、たとえば位置調整用ピンの軸線からずれた予め定める角変位軸線まわりに角変位させることによって、支持部材のホルダに対する位置を容易に調整することができる。
【００９７】
また本発明によれば、対物レンズがホルダに保持された状態では、対物レンズの球面部の少なくとも一部が開口部の開口周縁部に当接するので、対物レンズのホルダに対する位置の精度が向上される。これによって対物レンズの球面部の軸線と開口の予め定める第２光軸との間の距離を小さくすることができる。前記対物レンズの球面部の軸線と、対物レンズの予め定める第１光軸とは、ほぼ一致しているので、対物レンズの予め定める第１光軸と開口の予め定める第２光軸との間の距離を小さくすることができる。
【００９８】
したがって、たとえば対物レンズがトラッキング方向に駆動されていないときに開口の予め定める第２光軸とコリメート光の光強度中心とが一致するようにホルダが設けられる場合、対物レンズの予め定める第１光軸とコリメート光の光強度中心との間の距離は、対物レンズのトラッキング方向の駆動に伴って、小さな範囲内で変化する。これによって光ディスクの記録面に形成される集光スポットの光強度分布の偏りが抑制され、対物レンズのトラッキング方向の駆動に伴う信号再生・記録特性の悪化を軽減することができる。
【００９９】
また本発明によれば、ホルダの開口部が、対物レンズよりも硬度の小さい材料から成るので、信号再生・記録時の振動などによって前記開口周縁部から対物レンズに衝撃力が作用して対物レンズが破損してしまうという不具合を防止することができる。
【図面の簡単な説明】
【図１】本発明の実施の第１の形態の光ピックアップ装置２１の全体の構成を簡略化して示す図である。
【図２】光ピックアップ装置２１の対物レンズ駆動装置２７を簡略化して示す正面図である。
【図３】本発明の実施の第１の形態である光ピックアップ装置２１を示す正面図である。
【図４】ホルダ３０を示す正面図である。
【図５】対物レンズ２５をホルダ３０に装着する手順を説明するための図であり、図５（１）は対物レンズ２５を示し、図５（２）は対物レンズ２５が支持部材３６に支持された状態を示し、図５（３）は支持部材３６がホルダ３０に保持された状態を示す。
【図６】位置調整前の状態を説明するための図であり、図６（１）は図３の切断面線Ｃ６−Ｃ６から見た対物レンズ２５および開口部４１の断面を簡略化して示し、図６（２）は図６（１）の上方から見た対物レンズ２５および開口４２を示し、図６（３）はコリメート光の光強度分布を示す。
【図７】位置調整後の状態を説明するための図であり、図７（１）は図３の切断面線Ｃ６−Ｃ６から見た対物レンズ２５および開口部４１の断面を簡略化して示し、図７（２）は図７（１）の上方から見た対物レンズ２５および開口４２を示し、図７（３）はコリメート光の光強度分布を示す。
【図８】対物レンズ２５が前記予め定めるトラッキング方向Ｔに駆動された状態を説明するための図であり、図８（１）は図３の切断面線Ｃ６−Ｃ６から見た対物レンズ２５および開口部４１の断面を簡略化して示し、図８（２）は図８（１）の上方から見た対物レンズ２５および開口４２を示し、図８（３）はコリメート光の光強度分布を示す。
【図９】本発明の実施の第２の形態である光ピックアップ装置を示す正面図である。
【図１０】ホルダ５６を示す正面図である。
【図１１】対物レンズ２５をホルダ５６に装着する手順を説明するための図であり、図１１（１）は対物レンズ２５を示し、図１１（２）は対物レンズ２５が支持部材５５に支持された状態を示し、図１１（３）は支持部材５５がホルダ５６に保持された状態を示す。
【図１２】本発明の実施の第３の形態である光ピックアップ装置を示す正面図である。
【図１３】ホルダ６２を示す正面図である。
【図１４】対物レンズ２５をホルダ６２に装着する手順を説明するための図であり、図１４（１）は対物レンズ２５を示し、図１４（２）は対物レンズ２５が支持部材６１に支持された状態を示し、図１４（３）は支持部材６１がホルダ６２に保持された状態を示す。
【図１５】本発明の実施の第４の形態である光ピックアップ装置を示す正面図である。
【図１６】ホルダ６９を示す正面図である。
【図１７】対物レンズ２５をホルダ６９に装着する手順を説明するための図であり、図１７（１）は対物レンズ２５を示し、図１７（２）は対物レンズ２５が支持部材６８に支持された状態を示し、図１７（３）は支持部材６８がホルダ６９に保持された状態を示す。
【図１８】本発明の実施の第５の形態の光ピックアップ装置の対物レンズ２５およびホルダ７５を簡略化して示す断面図である。
【図１９】ホルダ７５を示す正面図である。
【図２０】第１の先行技術の光ピックアップ装置１の全体の構成を簡略化して示す図である。
【図２１】ホルダ７の開口８の光軸８ａとコリメート光の光強度中心との位置関係を説明するための図であり、図２１（１）は第１光源２ａからの光ビームが対物レンズ５に導かれている状態を示し、図２１（２）はコリメート光の光強度分布を示す。
【図２２】第２の先行技術の光ピックアップ装置の対物レンズ１１およびホルダ１２を簡略化して示す断面図である。
【図２３】対物レンズ５がトラッキング方向Ｔに駆動されていないときの状態を説明するための図であり、図２３（１）は対物レンズ５およびホルダ７の断面を簡略化して示し、図２３（２）は、図２３（１）の上方から見た対物レンズ４および開口８を示し、図２３（３）はコリメート光の光強度分布を示す。
【図２４】対物レンズ５がトラッキング方向Ｔに駆動されたときの状態を説明するための図であり、図２４（１）は対物レンズ５およびホルダ７の断面を簡略化して示し、図２４（２）は図２４（１）の上方から見た対物レンズ４および開口８を示し、図２４（３）はコリメート光の光強度分布を示す。
【符号の説明】
２１  光ピックアップ装置
２５  対物レンズ
３６，５５，６１，６８  支持部材
３０，５６，６２，６９，７５  ホルダ
４１  開口部
４２  開口
４６  ばね部材
４８  ねじ部材
５８  挿通孔
５９  丸ピン
６３  長孔
６４  偏芯ピン
７６  球面部
７７  開口周縁部
【図１】
2004241034.tif 000003
【図２】
2004241034.tif 000004
【図３】
2004241034.tif 000005
【図４】
2004241034.tif 000006
【図５】
2004241034.tif 000007
【図６】
2004241034.tif 000008
【図７】
2004241034.tif 000009
【図８】
2004241034.tif 000010
【図９】
2004241034.tif 000011
【図１０】
2004241034.tif 000012
【図１１】
2004241034.tif 000013
【図１２】
2004241034.tif 000014
【図１３】
2004241034.tif 000015
【図１４】
2004241034.tif 000016
【図１５】
2004241034.tif 000017
【図１６】
2004241034.tif 000018
【図１７】
2004241034.tif 000019
【図１８】
2004241034.tif 000020
【図１９】
2004241034.tif 000021
【図２０】
2004241034.tif 000022
【図２１】
2004241034.tif 000023
【図２２】
2004241034.tif 000024
【図２３】
2004241034.tif 000025
【図２４】
2004241034.tif 000026